(57)【要約】【課題】ケースの寸法ばらつきが防水性能及び係合強度に与える影響を緩和することのできる遠隔操作携帯機を提供する。【解決手段】第１ケース２と第２ケース３をスナップ係合により一体化してなるケース体１内に電子部品２１を配置した基板４を納め、ケース体１内には基板４の表面を覆う弾性被覆体６が設けられ、弾性被覆体６は第１ケース２と第２ケース３により挟持されるシール部３１を周縁部に備え、弾性被覆体６は、シール部３１の第１ケース２と当接する面が平面状とされると共に、シール部３１の第２ケース３と当接する面には、周方向に沿う複数の被覆体側突起部３３、３４を備え、第１ケース２は、弾性被覆体６のシール部３１と当接する面に、複数の被覆体側突起部３３、３４間の領域を押圧するケース側突起部１２を備えてなる。【選択図】図３
2011097262.tif 000002
【特許請求の範囲】
【請求項１】
第１ケースと第２ケースをスナップ係合により一体化してなるケース体内に電子部品を配置した基板を納めた遠隔操作携帯機において、
前記ケース体内には前記基板の表面を覆う弾性被覆体が設けられ、該弾性被覆体は前記第１ケースと第２ケースにより挟持されるシール部を周縁部に備え、
前記弾性被覆体は、前記シール部の第１ケースに挟持される面が平面状とされると共に、前記シール部の第２ケースに挟持される面には、周方向に沿う複数の被覆体側突起部を備え、前記第１ケースは、前記弾性被覆体のシール部を挟持する面に、前記複数の被覆体側突起部間の領域を押圧するケース側突起部を備えてなることを特徴とする遠隔操作携帯機。
【請求項２】
前記弾性被覆体の被覆体側突起部は２条が形成され、前記第１ケースと第２ケースにより挟持されることで、前記被覆体側突起部は互いに離れる方向に変形することを特徴とする請求項１記載の遠隔操作携帯機。
【請求項３】
前記第２ケースは前記第１ケース側に向かう側壁の内周面に被係合部を有し、前記第１ケースは前記第２ケース側に向かって突出し前記被係合部とスナップ係合する係合部を有し、該係合部の先端面に前記ケース側突起部が形成されて前記弾性被覆体を押圧することを特徴とする請求項１または２記載の遠隔操作携帯機。
【発明の詳細な説明】
【技術分野】
【０００１】
本発明は、所定の操作を無線通信により行うことのできる遠隔操作携帯機に関し、特に内部に基板を覆って防水性を確保する弾性被覆体を備えてなる遠隔操作携帯機に関する。
【背景技術】
【０００２】
従来、各種機器を無線通信により遠隔操作することのできる携帯機が知られている。例えば、車のキーレスエントリー装置においては、キーと一体化、あるいはキーを有さない単体の携帯機が知られており、この携帯機に設けられたスイッチを操作することにより、車両との間で無線通信がなされて、ドアを施錠したり、あるいは解錠したりするように構成されている。また、車両においてエンジンをスタートさせるために用いられる携帯機も知られている。さらに、この種の携帯機としては、テレビ等の家電機器を操作するリモコンも知られている。
【０００３】
遠隔操作携帯機においては、ＣＰＵ等からなる制御部においてスイッチによる操作に応じた信号が生成され、それが搬送波により周波数変調あるいは振幅変調され、増幅回路を経て送信アンテナから無線送信される。これらの制御部や増幅回路、送信アンテナなどは、基板上に配置され、この基板が上ケース、すなわち第１ケースと、下ケース、すなわち第２ケースをスナップ係合により一体化してなるケース内に納められる。
【０００４】
各種の電子部品を配置した基板に水が浸入すると、電子部品が破損するなどして支障を来すため、ケース内は防水の構造が設けられる。具体的には、基板を覆うようにゴムなどからなる弾性被覆体を設け、この被覆体の周縁部を第１ケースと第２ケースのスナップ係合に伴い挟み込むことにより、水が浸入しないようにしている。このような構造を有するものとしては、例えば特許文献１や特許文献２に挙げるものがある。
【先行技術文献】
【特許文献】
【０００５】
【特許文献１】特開平１０−３２２０４５号公報
【特許文献２】特開平１０−３３４７５９号公報
【発明の概要】
【発明が解決しようとする課題】
【０００６】
ケースと弾性被覆体とが、面同士で当接するようにすると、弾性被覆体の撓みが小さい。このため、第１ケースと第２ケースがスナップ係合した際に、所定位置よりも互いに離れる方向にケースの寸法がばらつくと、十分な防水性能を確保できない。一方で、第１ケースと第２ケースがスナップ係合した際に、所定位置よりも互いに近づく方向にケースの寸法がばらつくと、弾性被覆体からの反発力が大きくなって、スナップ係合の部分に過大な負荷がかかるため、第１ケースと第２ケースが外れやすくなるという問題があった。
【０００７】
特許文献１や特許文献２に挙げるものでは、ケース側または弾性被覆体側のいずれか一方に突起を設け、弾性被覆体を挟持する力を大きくするようにしている。しかし、この場合には、寸法のばらつきにより押圧するストロークが変化した際に、荷重が非線形に変化するため、寸法のばらつきに伴う上述の問題をそのまま有している。
【０００８】
本発明は前記課題を鑑みてなされたものであり、ケースの寸法ばらつきが防水性能及び係合強度に与える影響を緩和することのできる遠隔操作携帯機を提供することを目的とする。
【課題を解決するための手段】
【０００９】
前記課題を解決するため、本発明に係る遠隔操作携帯機は、第１ケースと第２ケースをスナップ係合により一体化してなるケース体内に電子部品を配置した基板を納めた遠隔操作携帯機において、
前記ケース体内には前記基板の表面を覆う弾性被覆体が設けられ、該弾性被覆体は前記第１ケースと第２ケースにより挟持されるシール部を周縁部に備え、
前記弾性被覆体は、前記シール部の第１ケースに挟持される面が平面状とされると共に、前記シール部の第２ケースに挟持される面には、周方向に沿う複数の被覆体側突起部を備え、前記第１ケースは、前記弾性被覆体のシール部を挟持する面に、前記複数の被覆体側突起部間の領域を押圧するケース側突起部を備えてなることを特徴として構成されている。
【００１０】
また、本発明に係る遠隔操作携帯機は、前記弾性被覆体の被覆体側突起部は２条が形成され、前記第１ケースと第２ケースにより挟持されることで、前記被覆体側突起部は互いに離れる方向に変形することを特徴として構成されている。
【００１１】
さらに、本発明に係る遠隔操作携帯機は、前記第２ケースは前記第１ケース側に向かう側壁の内周面に被係合部を有し、前記第１ケースは前記第２ケース側に向かって突出し前記被係合部とスナップ係合する係合部を有し、該係合部の先端面に前記ケース側突起部が形成されて前記弾性被覆体を押圧することを特徴として構成されている。
【発明の効果】
【００１２】
本発明に係る遠隔操作携帯機によれば、弾性被覆体は、シール部の第１ケースに挟持される面が平面状とされると共に、シール部の第２ケースに挟持される面には、周方向に沿う複数の被覆体側突起部を備え、第１ケースは、弾性被覆体のシール部を挟持する面に、複数の被覆体側突起部間の領域を押圧するケース側突起部を備えてなることにより、寸法のばらつきにより、実際に弾性被覆体を押込む量が所定値と異なった場合であっても、反発力の変化が小さく、確実に防水をなすことができると共に、反発力が大きくなりすぎて第１ケースと第２ケースの係合が外れやすくなることを防止することができ、すなわちケースの寸法ばらつきが防水性能及び係合強度に与える影響を緩和することができる。
【００１３】
また、本発明に係る遠隔操作携帯機によれば、弾性被覆体の被覆体側突起部は２条が形成され、第１ケースと第２ケースにより挟持されることで、被覆体側突起部は互いに離れる方向に変形することにより、弾性被覆体の変形に要する力が線形に変化し、押込量のばらつきによる反発力の変化を小さくすることができる。
【００１４】
さらに、本発明に係る遠隔操作携帯機によれば、第２ケースは第１ケース側に向かう側壁の内周面に被係合部を有し、第１ケースは第２ケース側に向かって突出し被係合部とスナップ係合する係合部を有し、係合部の先端面にケース側突起部が形成されて弾性被覆体を押圧することにより、第１ケースと第２ケースのスナップ係合に伴い、弾性被覆体を確実に押圧して防水性の確保を図ることができる。
【図面の簡単な説明】
【００１５】
【図１】遠隔操作携帯機の分解斜視図である。
【図２】遠隔操作携帯機の平面図である。
【図３】図２のＡ−Ａ断面図である。
【図４】図３の部分拡大図であって弾性被覆体の押圧前状態における図である。
【図５】図３の部分拡大図であって弾性被覆体の押圧状態における図である。
【図６】本実施形態のシール部の挟持構造とその他の挟持構造との場合における、押込量と弾性被覆体からの反発力との関係を表した図である。
【図７】図６の各挟持構造を表した拡大断面図である。
【発明を実施するための形態】
【００１６】
本発明の実施形態について図面に沿って詳細に説明する。図１には本実施形態における遠隔操作携帯機の分解斜視図を、図２には遠隔操作携帯機の平面図を、それぞれ示している。図１に示すように、本実施形態における遠隔操作携帯機は、第１ケース２と第２ケース３により構成されるケース体１内に、基板４や電池５等を納めてなり、ケース体１の第１ケース２には２つの開口部１０が形成されると共に、開口部１０からは押圧操作自在な操作部３２が露出するように構成される。この操作部３２を押圧操作することにより、遠隔操作携帯機からは所定の信号が無線送信される。
【００１７】
第１ケース２は、上壁２ａの周囲部に側壁２ｂを備えて構成され、２つの開口部１０を有している。また、第２ケース３は、下壁３ａの周囲部に側壁３ｂを備えてトレイ状に形成され、下壁３ａの中央部には電池５を収容可能な凹状の電池収容部１５を有している。第１ケース２と第２ケース３は、周縁部において互いにスナップ係合し、一体化されてケース体１を構成する。そして、ケース体１の内部は中空状となり、その中に基板４と電池５及び弾性被覆体６が納められる。
【００１８】
基板４は、ケース体１の内部形状に略適合する板状に形成されてなるものであって、第１ケース２に対向する表面４ａには、複数の電子部品２１と２つのスイッチ２２が配置されている。電子部品２１には、スイッチ２２の操作に応じた信号を生成する信号制御回路と、信号制御回路で生成した信号を搬送波で変調する信号回路と、変調した信号を増幅する増幅器と、増幅器で増幅した信号を無線送信する送信アンテナなどが含まれる。なお、送信アンテナはコンデンサーを有して構成されている。
【００１９】
弾性被覆体６は、ゴム等の弾性を有する素材により形成されたものであって、基板４と第１ケース２の間に設けられて、ケース体１内において基板４の表面４ａ側を被覆し、基板４の防水性を確保するものである。
【００２０】
弾性被覆体６は、基板４全体を覆うため、基板４よりも一回り大きく形成される。また、上面には第１ケース２の開口部１０の位置及び大きさに対応した突出状の操作部３２を２つ有しており、図２に示すように開口部１０からケース体１の外方に露出し、押圧操作可能とされている。
【００２１】
図３には、図２のＡ−Ａ断面図を示している。この図に示すように、第１ケース２の側壁２ｂには、第２ケース３側に向かって突出する係合部１１が形成され、一方で第２ケース３の側壁３ｂには、内周面側に被係合部１６が形成される。第１ケース２の係合部１１は第２ケース３の被係合部１６にスナップ係合し、第１ケース２と第２ケース３が一体化される。また、電池５は、第２ケース３の電池収容部１５に納められ、基板４の裏面４ｂと対向すると共に、基板４の裏面４ｂに設けられる電源端子２３と接触する。
【００２２】
弾性被覆体６は、中央部の上面に前述の操作部３２が形成されると共に、その下面側は空洞状となるように形成され、基板４の部品が配置された領域を被覆する。弾性被覆体６の周縁部は、基板４の側方から第１ケース２の係合部１１の下部に伸びており、第１ケース２及び第２ケース３によって挟持されるシール部３１となっている。
【００２３】
弾性被覆体６のシール部３１は、係合部１１と被係合部１６とがスナップ係合するのに伴い、第１ケース２の係合部１１の下端面と、第２ケース３の下壁３ｂ内周面によって、厚み方向に圧縮される。このように、弾性被覆体６のシール部３１が第１ケース２と第２ケース３によって挟持されることで、それよりも内側の基板４側に水が浸入しないようにしている。
【００２４】
弾性被覆体６のシール部分について、さらに詳細に説明する。図４には、図３のうちシール部分の拡大図であって弾性被覆体６の押圧前状態における図を示している。この図に示すように、弾性被覆体６のシール部３１は、第１ケース２に挟持される面が平面状とされており、一方で第２ケース３に挟持される面には、２条の被覆体側突起部３３、３４が形成されている。被覆体側突起部３３、３４は、それぞれ弾性被覆体６の周方向に沿って、全周に渡って形成されている。
【００２５】
第１ケース２は、弾性被覆体６のシール部３１を挟持する面に、ケース体側突起部１２を有している。第１ケース２において弾性被覆体６のシール部３１を挟持する面は、上述のように係合部１１の先端面である。ケース体側突起部１２は、第１ケース２の周方向に沿って、全周に渡って形成されている。また、その位置は、弾性被覆体６の被覆体側突起部３３間の領域を押圧するように配置されている。
【００２６】
図５には、図３のうちシール部分の拡大図であって弾性被覆体６の押圧時状態における図を示している。この図に示すように、第１ケース２と第２ケース３によって弾性被覆体６のシール部３１を挟持すると、第１ケース２のケース側突起部１２は、シール部３１の表面に対し食い込むように圧接し、シール部３１の被覆体側突起部３３、３４は、圧縮されて潰れた状態となり、第２ケース３の下壁３ａに圧接する。このとき、ケース側突起部１２は、シール部３１の表面のうち被覆体側突起部３３、３４間の平坦な領域を部分的に押圧するため、被覆体側突起部３３は、互いに離れる方向に滑りつつ変形して圧縮される。
【００２７】
図６には、本実施形態のシール部３１の挟持構造と、これと比較するためのその他の挟持構造との場合における、押込量と弾性被覆体６からの反発力との関係を表した図を示している。シール部３１を挟持すると、弾性被覆体６は圧縮される方向に変形するから、図６において押込量はマイナス方向に大きくなるものとし、また反発力は押圧力に対する反力であるから、図６において反発力はマイナス方向に大きくなるように表示している。
【００２８】
各例において弾性被覆体６の押込量は、所定の値となるように設計される。図６において押込量が右端値のときに、全ての例において反発力が同じ値となっている。これは、弾性被覆体６による防水性を確保するために必要最低限の荷重がかかっているときの押込量が、全ての例において同じとなるように調整してあることによる。実際に押込量として設定される値は、図６の右端値よりも大きい値であり、また押込量には加工精度によっていくらかのばらつきが生じる。図６は、各例において押込量のばらつきが生じたときに、反発力がどの程度変化するかを見ることができる。
【００２９】
図６における各挟持構造については、図７に拡大断面図を示している。図７（ａ）は、本実施形態の挟持構造を表しており、第１ケース２にケース側突起部１２を備え、シール部３１の下面に２条の被覆体側突起部３３を備えている。図７（ｂ）は、第１のその他の例における挟持構造を表しており、第１ケース２と第２ケース３は平面状とし、シール部３１の第１ケース２と対向する上面に被覆体側突起部３５を備え、シール部３１の第２ケース３と対向する下面に２条の被覆体側突起部３３、３４を備えている。図７（ｃ）は、第２のその他の例における挟持構造を表しており、シール部３１は両面とも平面状とし、第１ケース２にケース側突起部１２を備え、第２ケース３にケース側突起部１７、１８を備えている。
【００３０】
これら各例についての押込量に対する反発力の関係は、図６に示すように、いずれも押込量が大きくなるにつれて反発力も大きくなるが、第１のその他の例と第２のその他の例においては、二次曲線的な変化を示すのに対し、本実施形態の挟持構造では、ほぼ線形に変化する。また、第１のその他の例や第２のその他の例に比べて、本実施形態の挟持構造では、押込量に対する反発力の傾きが小さい。これらは、第１のその他の例においては、被覆体側突起部３５のシール部３１と繋がっている部分の範囲が広く、押込量を大きくしていくにつれて、弾性被覆体６を厚み方向にそのまま圧縮するように変形させることになるためと考えられる。第２のその他の例においても同様であり、押込量を大きくしていくにつれて、弾性被覆体６を厚み方向にそのまま圧縮するように変形させることになるため、圧縮に必要な力が二次曲線的に上昇し、また、弾性変形する部分の厚みが薄いのでその反発力は大きな値になるものと考えられる。これに対し、本実施形態の挟持構造では、第１ケース２のケース側突起部１２が、弾性被覆体６の被覆体側突起部３３、３４間の平坦な領域を押圧するため、Ｖ字形状の変形をしやすく、反対側の面にある被覆体側突起部３３、３４が離れる方向に滑りながら変形していく。なお、本実施形態の挟持構造において滑りがあることは実際に確認できた。被覆体側突起部３３、３４が滑る場合には、弾性力の増加は圧縮される場合に比べて少なく、このために弾性力がほぼ線形に変化することになると考えられる。
【００３１】
したがって、本実施形態の挟持構造は、図６の右端値よりも大きい所定の押込量を設定した場合に、寸法のばらつきにより実際の押込量が所定値と異なった場合であっても、反発力の変化が小さい。実際の押込量が所定値より大きかった場合には、反発力の上昇が他の例よりも小さく、第１ケース２と第２ケース３の係合状態を維持することができる。また、実際の押込量が所定値より小さかった場合には、反発力の低下が他の例よりも小さく、防水性を維持することができる。このように、本実施形態の挟持構造によれば、確実に防水をなすことができると共に、反発力が大きくなりすぎて第１ケース２と第２ケース３の係合が外れやすくなることを防止することができる。
【００３２】
以上、本発明の実施形態について説明したが、本発明の適用は本実施形態には限られず、その技術的思想の範囲内において様々に適用されうるものである。本実施形態では、遠隔操作携帯機は車のキーレスエントリー装置に用いられるものを想定しているが、その他にもテレビ等の電機製品のリモコンなどにも本発明を適用することができる。
【００３３】
また、本実施形態では、被覆体側突起部を２条設けて、その間の領域をケース側突起部で押圧するようにしているが、被覆体側突起部を３条以上設け、各被覆体突起部間を押圧するように、ケース側突起部を複数設けるようにしてもよい。ただし、遠隔操作携帯機の小型化のためには、被覆体側突起部を２条とするのがより好ましい。
【符号の説明】
【００３４】
１    ケース体
２    第１ケース
３    第２ケース
４    基板
５    電池
６    弾性被覆体
１０    開口部
１１    係合部
１２    ケース側突起部
１５    電池収容部
１６    被係合部
３０    被覆部
３１    シール部
３２    操作部
３３    被覆体側突起部
３４    被覆体側突起部
【図１】
2011097262.tif 000003
【図２】
2011097262.tif 000004
【図３】
2011097262.tif 000005
【図４】
2011097262.tif 000006
【図５】
2011097262.tif 000007
【図６】
2011097262.tif 000008
【図７】
2011097262.tif 000009